(57)【要約】      （修正有）【課題】アカイカ等の大型イカのイカ釣針に関し、軸杆の曲がり、折れを効果的に防止のできるイカ釣針を提供する。【解決手段】擬餌体パイプ２内部の位置に金属パイプＢ９を配置し鉛体１にて埋設固定し、イカ釣針本体を形成せしめ、金属パイプＢ９の一端内部にスプリング８、金属パイプＡ３を順次挿入し更に金属パイプＡ３の突出部分先端内部に傘状針体を配することを主たる構成とした。これにより傘状針体に引っ掛かった衝撃の力を金属パイプＡ３、金属パイプＢ９にて順次受け止め衝撃の力を緩和し、軸杆に伝わることなく、その結果軸杆の曲がり、折れを防止することができる構造である。【選択図】図１
0003147127.tif 000002
【実用新案登録請求の範囲】
【請求項１】
擬似体を形作る多角形の擬似体パイプの中心に軸杆を配し、該軸杆の外側に金属パイプＢを配し鉛を充填し埋設固定したのち前記金属パイプＢの内側から突出した前記軸杆には形状がＵ字状に曲げられた芯杆を嵌合する凹溝が両端に形成されているため、該軸杆に金属パイプＡ、複数個の傘状針体を配し離脱や負担する力を緩和する手段を介して止められ、前記擬似体パイプ上部は扁平に加工して吊り下げ部を形成したことを特徴とするイカ釣針。
【請求項２】
前記イカ釣針において金属パイプＡを段差径のある異径金属パイプＡで作られてあることを特徴とする請求項１記載のイカ釣針。
【考案の詳細な説明】
【技術分野】
【０００１】  本考案は、イカ釣りに使用されるイカ釣針に関し、更に詳しくはアカイカ等の大型のイカを釣るのに使用するイカ釣針に関するものである。
【背景技術】
【０００２】  従来のこの種の大型のイカを釣るのに使用されているイカ釣針としは種々のものが提案されている。例えば特許文献１、実用新案文献１に係るものなどがある。【０００３】
【特許文献１】特許出願平１０−１２２０４４「イカ用釣針」
【実用新案文献１】
実用新案出願平８−７２８６「イカ釣針」
【０００４】  該特許文献１（図１０）は軸杆に主に傘状針体、体錘、該体錘を収納する擬餌のケースを挿入し樹脂で中空状に成形した押え部材を順次配し弾圧しリングにて完成された構造のイカ釣針であり、体錘が着脱可能にして、且つ体錘の重さを容易に変更できることが可能な構成のイカ釣針である。
【０００５】  該実用新案文献１（図１１）は鉛体からなる擬餌体の軸芯に、上側に釣糸の連結手段を備えた軸杆を前記擬餌体の上側から突出させて埋設固定すると共に、該軸杆の下側に装飾着色体、ゴムパッキンを順次嵌合装着し、更にゴムパッキンを弾圧して傘状針体を取り付けイカ釣針全体の重心が少なくとも上半分の擬餌体側に有るようにした構成のイカ釣針である。
【０００６】  また実用新案文献１の従来の技術にて引用されているイカ釣針（該実用新案文献１の図３）は十数年愛用されているイカ釣針であり本出願人が世に送り出したイカ釣針であるので製作意図を以下に記す。従来は種々のイカ釣針を直鎖上に連結して利用する場合、最下部には錘（分銅）を利用している。該イカ釣針は錘の機能を備えた擬餌針であり直鎖上に連結した最下部に数個配して使われている。擬餌体本体は多角形の金属パイプ（表面はクロームメッキが施してある）であり中心部に軸杆を配し、溶解した鉛を注入することで擬餌体パイプ、軸杆が埋設固定され擬餌体本体は形成され鉛体から突出した軸杆にゴムパッキン、金属性キャップ、複数の傘状体針、座金を順次配しゴムパッキンを弾圧しリングが取り付けられ完成されている。擬餌体パイプ上部は扁平に加工し吊り下げ部分を形成している。なお、該イカ釣針は錘の機能を顕著にするため、擬餌体パイプと傘状針体の間は鉛体を露出させることでイカ釣針全体の重心を出来るだけ下部（イカ釣針全長のの半分より下側）にしたものである。それにより海中に投下したとき目的の水深までイカ釣針の上下が逆転することなく速やかに水没させるためである。また該擬餌体パイプと傘状針体の間に傾斜（テーパー）を持たせることで擬餌体パイプに集合したイカを効果的に傘状針体に導く効果を持たせるように構成されたイカ釣針である。
【考案の開示】
【考案が解決しようとする課題】
【０００７】  上述した種々のイカ釣針に用いられている共通の欠点とも言える軸杆の構造について記す。図７にて後述する軸杆の主な構造は棒軸と芯杆から構成されている。
（イ）棒軸に使用する材質は真鍮材が広く使われていて、例えば松葉針の線材断面            径が１．５ミリで松葉針が７本の傘状針体では該棒軸の断面径は５ミリとな            る。
（ロ）分解式イカ釣針（傘状針体が交換可能な）の場合棒軸の表裏には長手方向に            凹溝が加工されている。
（ハ）芯杆は所定の長さを半分に折り曲げその両端はＵ字形に各々曲げ前述棒軸の            凹溝に嵌合される構造であり芯杆の線径は１．２ミリが広く使われている。
（ニ）よって棒軸に加工される凹溝の幅、深さは約１．２ミリとなり、棒軸断面の            中心点から約２．６ミリが凹溝加工されていない真鍮材であり、元の材料材            としての凹溝加工されていない５ミリの真鍮線材に比べ強度は顕著に劣る。【０００８】また上述した種々のイカ釣針は大型イカを釣るためのものであり、また傘状針体そのものが大きく（スルメイカをとる傘状針体の約２倍）且つ掛かったイカの釣り落としを防止するために、傘状針体は３段重ね（スルメイカでは２段）が一般的である。イカ釣針Ｃ（該実用新案文献１のイカ釣針Ｂ）を例にとれば図９のＮ点から下段の傘状針体までの長さは約１２０ミリ、Ｍ点から下段の傘状針体までの長さは約７０ミリの構造となっている。【０００９】  しかして、上述したイカ釣針、即ち
（イ）図１０のイカ釣針Ａ（本出願の呼び名として）は中空状の押さえ部材から
（ロ）図１１のイカ釣針Ｂ（本出願の呼び名として）は装飾擬餌体から
（ハ）図１２のイカ釣針Ｃ（本出願の呼び名として）は鉛体から
突出した軸杆に傘状針体が取り付けられ、且つ突出した軸杆の長さも長いため大型イカが引っ掛かったとき傘状針体に大きな衝撃の力が働き、緩和されることなくその全衝撃の力が軸杆に伝わり、該軸杆を曲げたり折れたりする問題点が生じていた。即ち、「てこの原理」にて傘状針体に加わる前後、左右の衝撃の力（図９のＸ、Ｚ方向）が働くとＮ，Ｍが支点となり曲がったり折れたりするのである。【００１０】  更に一般的には水深４００ｍの深海より掛かったアカイカを船上まで巻き上げ機にて高速で引き上げる際、海水との抵抗や引っ掛かったアカイカが「あばれる」等のために発生する衝撃の力により曲がったり折れたりする問題点も生じていた。【００１１】  上述のように軸杆が曲がった状態において船上までイカ釣針を引き上げると、傘状針体の針先は「かえし」がないため引っ掛かったイカを落とすという不具合も有していた。【００１２】  本考案は上記した従来の技術が有する問題点を排除するものであり、その目的とするとするところは、軸杆が曲がったり、折れたりすることがない強固なイカ釣針を形成することで漁獲量の向上が図れるイカ釣針を提供することにある。
【課題を解決するための手段】
【００１３】  上述の目的を達成する為、本考案が講じた技術的手段は図１において、金属パイプＡ３及び金属パイプＢ９をイカ釣針に組み込む構成を特徴とする。【００１４】  即ち、図６のごとく多角形擬餌体パイプ２と軸杆１０の間に金属パイプＢ９を配し、鉛体１にて固化埋設しイカ釣針本体を形成する。金属パイプＢ９の内部に形成された空洞断面中心から突出した軸杆１０にスプリング８、金属パイプＡ３、複数個の傘状針体５、座金６を順次組み込みスプリング８を弾圧してリング７にて固定する構成となるイカ釣針である。
【考案の効果】
【００１５】  本考案のイカ釣針は上述のように構成されるため、これにより傘状針体に引っ掛かった衝撃の力を金属パイプＡ３、金属パイプＢ９にて順次受け止め衝撃の力を緩和し、軸杆に伝わることなく、その結果軸杆の曲がり、折れを防止することができる構造である。それにより漁獲量の向上に寄与し、またイカ釣針の使用期間も向上し、漁業家の経費の負担も軽減することが期待できる。
【考案を実施するための最良の形態】
【００１６】  以下、本考案の実地の形態を図面を参照して説明する。
図７は軸杆の構成を示す図である。Ａは棒軸１１の断面図、Ｂは芯杆１２の平面図、Ｃは軸杆１０の構成図と（Ｚ）−（Ｚ）線に沿っての拡大断面図である。
図１は平面図である。
図６は要部拡大断面組み立て図である。【００１７】図７において軸杆１０は棒軸１１の長手方向に沿って外周面の裏表に凹溝１３が形成され、その溝１３に芯杆１２が一側（図面では左側）から他側に向かって嵌合固定されると共に、その他側で折り返して一側に導かれて、両端を各々Ｕ状形に折り曲げた構造となっている。【００１８】図６において、多角形パイプの表面をクロームメッキが施された擬餌体パイプ２であり、１は鉛体、９は金属パイプＢ、１０は軸杆である。鉛詰冶具に擬餌体パイプ２、金属パイプＢ９、軸杆１０を配置し擬餌体パイプ２上部（図面で上）より溶解した鉛を注入し鉛を固化させることで一体化され擬餌体本体（図６の左側）が形成される。【００１９】上述において金属パイプＢ９の上部（図面で上）は擬餌体パイプ２の下部（図面で下）より上に（図面で上）位置するように構成する。これは傘状針体５に加わった衝撃の力で前述した図７のＭ点での曲がり折れを防止する為である。【００２０】図１が示すように金属パイプＡ３と傘状針体５の構成においては、金属パイプＡ３の内部に傘状針体５（松葉針５Ａ，５Ｂ，５Ｃ，５Ｄ，５Ｅ，５Ｆ，５Ｇの針先と反対側）の「たが」部分を挿入せしめる構造である。しかし図の例のように「たが」全体を挿入するか、「たが」の下部（針先とは反対側）までの挿入かは松葉針の本数や太さにて変わるのもであり本考案はかかる状態に限定されるのもではない。【００２１】上述のごとく金属パイプＡ３と傘状針体５を構成することで前述した図面９のＮ点よりの曲がり折れを防止することができるのである。なお、傘状針体５は、今日周知の「たが構造」によって構成された針体である。【００２２】図６において擬餌体パイプ２断面の中心に埋め込み固定された軸杆１０は芯杆１２の端末部分にリング７が脱着可能に形成されている為、スプリング８、金属パイプＡ３、傘状針体５、座金６と順次組み込みスプリングを弾圧することでリング７にて固定される。【００２３】又擬餌体パイプ２の他方（図１の上部）は扁平状に潰し、その扁平部に釣糸を連結するための孔を明け、その孔に鳩目４が取り付けられた構造になっているイカ釣針である。
【実施例】
【００２４】図８は請求項２の要部構成の説明図であり、金属パイプＡ３でなく異径金属パイプＡ３−１である。異径パイプＡ３−１を使用することで鉛体１に埋設固定された金属パイプＢ９の内径を細くすることが可能となる。その結果擬餌体パイプ２より突出した鉛体１の傾斜、即ち擬餌体パイプ２と傘状針体５側の金属パイプＢ９を結ぶ角度（テーパー）が増すため、擬餌体パイプ２に集合したイカをより効果的に傘状針体５に導くことが可能となり漁獲量の向上が図れる構造となっている。なお、異径金属パイプＡの材質はプラスチック成形品に代えることで金属に限定するものではない。
【産業上の利用可能性】
【００２５】本考案のイカ釣針によれば、軸杆の曲がり折れを効果的に防止することができ、いったん引っ掛けられたイカの離脱等の不都合も防止することができる。したがってイカ釣り漁業家、その他関連する分野において産業上利用価値が高い考案である。
【図面の簡単な説明】
【００２６】
【図１】本考案の平面図である
【図２】（ａ）は図面１の（Ａ）−（Ａ）線に沿っての拡大断面図  （ｂ）は図面１の（Ｂ）−（Ｂ）線に沿っての拡大断面図  （ｃ）は図面１の（Ｃ）−（Ｃ）線に沿っての拡大断面図である。
【図３】本考案の側面図
【図４】本考案の背面図
【図５】本考案の正面図
【図６】実施例要部拡大断面組み立て図
【図７】実施例軸杆の説明図でありＡは棒軸１１の断面平面図、Ｂは芯杆１２平面図、Ｃは軸杆１０の構成図と（Ｚ）−（Ｚ）に沿っての拡大断面図である。
【図８】実施例請求項２の説明図
【図９】従来使用されているイカ釣針Ｃの説明図
【図１０】特許出願平１０−１２２０４４に記載されているイカ釣針Ａの縦断面平面図である
【図１１】実用新案出願  平８−７２８６に記載されているイカ釣針Ｂの縦断面平面図であり（ｂ）はＢの（Ｘ）−（Ｘ）に沿っての拡大断面図
【図１２】従来使用されているイカ釣針Ｃの縦断面平面図であり（ｃ）はＣの（Ｙ）−（Ｙ）線に沿っての拡大断面図
【符号の説明】
【００２７】１・・・鉛体
２・・・擬餌体パイプ
３・・・金属パイプＡ
３−１・・異径金属パイプＡ
４・・・鳩目
５・・・傘状針体
５Ａ、５Ｂ、５Ｃ、５Ｄ、５Ｅ、５Ｆ、５Ｇ・・・松葉針
６・・・座金
７・・・リング
８・・・スプリング
９・・・金属パイプＢ
１０・・・軸杆
１１・・・棒軸
１２・・・芯杆
１３・・・凹溝
１４・・・ゴムパッキン
１５・・・擬餌体
１６・・・装飾着色体
１７・・・押さえ部材
１８・・・キャップ
１９・・・ワッシャー
【図１】
0003147127.tif 000003
【図２】
0003147127.tif 000004
【図３】
0003147127.tif 000005
【図４】
0003147127.tif 000006
【図５】
0003147127.tif 000007
【図６】
0003147127.tif 000008
【図７】
0003147127.tif 000009
【図８】
0003147127.tif 000010
【図９】
0003147127.tif 000011
【図１０】
0003147127.tif 000012
【図１１】
0003147127.tif 000013
【図１２】
0003147127.tif 000014